(57)【要約】【課題】朝のような忙しい時間帯であっても、ダイジェスト再生キーを押すだけの簡単な操作のみで、ユーザの所望する時刻までに、未視聴の番組情報のダイジェスト再生を終了させる。【解決手段】マイコン１２は、ダイジェスト再生キー２０ａがオンされたとき、オンされた時刻とメモリ１３に記憶されているオフ時刻とに基づいて再生時間を算出し、その算出した再生時間内にハードディスクに記録した番組情報のうち未視聴の番組情報をダイジェスト再生が終了するように前記番組情報を編集してダイジェスト再生を実施し、ダイジェスト再生終了後、ダイジェスト再生した番組情報をハードディスクから削除する。一方、ダイジェスト再生中に保存設定キー２０ｂが操作された場合には、その操作時のダイジェスト再生番組についてはダイジェスト再生後も削除することなくそのまま保存する。【選択図】図１
2008113343.tif 000002
【特許請求の範囲】
【請求項１】
内蔵の記録媒体に記録した番組情報を所定の時間内でダイジェスト再生するダイジェスト再生制御手段を備えた記録再生装置において、
前記ダイジェスト再生を指示するダイジェスト再生キーと、
保存設定キーと
ユーザが設定した再生オフ時刻を記憶するオフ時刻記憶手段と、
現在時刻を計測する時計手段とを備えており、
前記ダイジェスト再生制御手段は、前記ダイジェスト再生キーがオンされたとき、オンされた時刻と前記オフ時刻記憶手段に記憶されている再生オフ時刻とに基づいて再生時間を算出し、その算出した再生時間内に、前記記録媒体に記録した番組情報のうち未視聴の番組情報をダイジェスト再生が終了するように編集してダイジェスト再生を実施し、ダイジェスト再生終了後、ダイジェスト再生した番組情報を前記記録媒体から削除する一方、ダイジェスト再生中に前記保存設定キーが操作された場合には、その操作時のダイジェスト再生番組についてはダイジェスト再生後も削除することなくそのまま保存することを特徴とする記録再生装置。
【請求項２】
内蔵の記録媒体に記録した番組情報を所定の時間内でダイジェスト再生するダイジェスト再生制御手段を備えた記録再生装置において、
前記ダイジェスト再生を指示するダイジェスト再生キーと、
ユーザが設定した再生オフ時刻を記憶するオフ時刻記憶手段と、
現在時刻を計測する時計手段とを備えており、
前記ダイジェスト再生制御手段は、前記ダイジェスト再生キーがオンされたとき、オンされた時刻と前記オフ時刻記憶手段に記憶されている再生オフ時刻とに基づいて再生時間を算出し、その算出した再生時間内に、前記記録媒体に記録した番組情報のダイジェスト再生が終了するように編集してダイジェスト再生を実施することを特徴とする記録再生装置。
【請求項３】
ダイジェスト再生される番組情報は、前記記録媒体に記録された番組情報のうち未視聴の番組情報であることを特徴とする請求項２に記載の記録再生装置。
【請求項４】
前記番組情報の編集は、録画日時順に行うことを特徴とする請求項３に記載の記録再生装置。
【請求項５】
ダイジェスト再生の優先内容を選択する選択手段を備えており、
前記ユーザが前記選択手段により任意の優先内容を選択した場合には、前記ダイジェスト再生制御手段は、その優先内容に従って前記番組情報の編集を行うことを特徴とする請求項４に記載の記録再生装置。
【請求項６】
前記選択手段で選択できる優先内容は、ジャンル優先、または前回再生したタイトルと同じタイトルを優先するタイトル優先であることを特徴とする請求項５に記載の記録再生装置。
【請求項７】
前記ダイジェスト再生制御手段は、ユーザにより予め削除モードが設定されている場合には、ダイジェスト再生終了後、ダイジェスト再生した番組情報を前記記録媒体から削除することを特徴とする請求項２に記載の記録再生装置。
【請求項８】
保存設定キーを備えており、
前記ダイジェスト再生制御手段は、ダイジェスト再生中に前記保存設定キーが操作された場合には、その操作時のダイジェスト再生番組をダイジェスト再生後に削除することなくそのまま保存することを特徴とする請求項７に記載の記録再生装置。
【発明の詳細な説明】
【技術分野】
【０００１】
本発明は、内蔵の記録媒体に記録した番組情報を所定の時間内でダイジェスト再生するダイジェスト再生制御手段を備えた記録再生装置に関する。
【背景技術】
【０００２】
近時、ハードディスクを内蔵したＤＶＤ（Ｄｉｇｉｔａｌ Ｖｅｒｓａｔｉｌｅ Ｄｉｓｋ）レコーダ等のように、大容量の記録媒体を備えた記録再生装置が普及している。
【０００３】
一方、今日の放送番組の多様化により、気になる番組数が増加するに従って、ハードディスク内に未視聴番組が消化しきれずに多数蓄積され、これがハードディスクを圧迫する原因となっている。そのため、このような未視聴の番組情報を如何に整理するかが重要な課題となっている。
【０００４】
ところで、ハードディスクやＤＶＤ等の光ディスクを記録媒体とする記録再生装置では、記録した情報番組の編集機能として、ダイジェスト再生機能を備えている。従って、このダイジェスト再生機能をうまく利用することで、未視聴の番組情報の整理に役立てることができる。すなわち、未視聴の番組情報をダイジェスト再生することで、短時間の間に、残す番組と削除してもよい番組とを判別することが可能となり、その後のハードディスクに記録されている番組情報の整理に役立てることができる。そのため、このダイジェスト再生機能をユーザがうまく利用するための技術が提案されている（例えば、特許文献１参照）。
【０００５】
特許文献１には、ユーザが設定入力画面をみながらダイジェスト再生時間の設定を行うと、この設定時間に最も近くなるようにダイジェストの作成条件の詳細を自動設定してダイジェスト再生を行うダイジェスト作成装置が記載されている。
【特許文献１】特開２００２−２６２２２８号公報
【発明の開示】
【発明が解決しようとする課題】
【０００６】
上記特許文献１によれば、ダイジェスト再生時間をユーザが設定することができる。すなわち、モニタ画面に設定入力画面を表示して、再生時間を入力することになる。しかし、特許文献１によれば、例えば朝起きてから家を出るまでの僅かな時間の間だけ、ダイジェスト再生を見たい場合、ユーザは、朝起きるとまずモニタ装置の電源をオンにし、リモコン操作等によりモニタ画面に設定入力画面を表示し、家を出るまでの時間を自分で逆算して、再生時間を入力する必要があり、このような煩わしい操作を朝の忙しい時間帯に行うことは、現実問題として極めて面倒である。また、このような時間設定を予め行っておくことも可能であるが、朝起きる時間が一定しているとは限らず、例えば電源をオンする時間がいつもより遅かった場合には、家を出るまでにダイジェスト再生が終了しない、といったユーザの意図しない中途半端なダイジェスト再生となってしまうといった問題があった。
【０００７】
本発明はかかる問題点を解決すべく創案されたもので、その目的は、朝のような忙しい時間帯であっても、ダイジェスト再生キーを押すだけの簡単な操作のみで、ユーザの所望する時刻（例えば、家を出る時刻）までに、未視聴の番組情報のダイジェスト再生を終了することのできる記録再生装置を提供することにある。
【課題を解決するための手段】
【０００８】
上記課題を解決するため、本発明の記録再生装置は、内蔵の記録媒体に記録した番組情報を所定の時間内でダイジェスト再生するダイジェスト再生制御手段を備えた記録再生装置において、前記ダイジェスト再生を指示するダイジェスト再生キーと、ユーザが設定した再生オフ時刻を記憶するオフ時刻記憶手段と、現在時刻を計測する時計手段とを備えており、前記ダイジェスト再生制御手段は、前記ダイジェスト再生キーがオンされたとき、オンされた時刻と前記オフ時刻記憶手段に記憶されている再生オフ時刻とに基づいて再生時間を算出し、その算出した再生時間内に、前記記録媒体に記録した番組情報のうち未視聴の番組情報のダイジェスト再生が終了するように編集してダイジェスト再生を実施することを特徴としている。
【０００９】
すなわち、本発明によれば、例えば毎朝出勤のために家を出る時刻を再生オフ時刻（例えば、電源オフ時刻）として設定しておけば、ユーザは、朝起きる時間に関係なく、ダイジェスト再生キーを押すだけの簡単な操作のみで、ダイジェスト再生制御手段が、オンされた時刻と予め設定されているオフ時刻とから再生時間を算出し、その算出した再生時間内に記録媒体に記録した未視聴の番組情報のダイジェスト再生が終了するように番組情報を編集して、ダイジェスト再生を実施することになる。これにより、ユーザは、家を出る直前にダイジェスト再生を全て視聴することが可能となり、未視聴番組の確認というダイジェスト再生の当初の目的を達成することが可能となる。
【００１０】
この場合、ダイジェスト再生は、未視聴の番組の録画日時順に行うのが一般的であるが、ダイジェスト再生の優先内容を選択する選択手段をさらに備え、ユーザが前記選択手段により任意の優先内容を選択した場合には、前記ダイジェスト再生制御手段は、その優先内容に従って前記番組情報の編集を行うように構成してもよい。前記選択手段で選択できる優先内容の具体例としては、ジャンル優先、または前回再生したタイトルと同じタイトルを優先するタイトル優先などがある。
【００１１】
すなわち、ジャンル優先として例えばスポーツが選択された場合には、未視聴の番組の中から、まず最初にスポーツに関する番組を録画日時の古い順に選択してダイジェスト再生する。また、タイトル優先が選択された場合には、前回電源オフ時に視聴していた番組（放送されていた番組、または記録媒体に記録されていた番組の両方を含む）のタイトルと同じタイトルの番組が未視聴番組として記録媒体に記録されている場合には、その同タイトルの番組のダイジェスト再生をまず最初に実施する。この場合、同タイトルの未視聴番組が複数記録されている場合には、録画日時（記録日時）の古いものからダイジェスト再生を実施する。
【００１２】
このように、ダイジェスト再生の優先設定を設けることで、ユーザの好みに合ったダイジェスト再生を行うことが可能となる。
【００１３】
また、本発明の記録再生装置によれば、前記ダイジェスト再生制御手段は、ユーザにより予め削除モードが設定されている場合には、ダイジェスト再生終了後、ダイジェスト再生した番組情報を前記記録媒体から削除する。本発明の記録再生装置の最終な目的は、ハードディスクに記録されている未視聴番組の整理であり、不要な未視聴番組を削除することでハードディスクの負荷を軽減することである。従って、ダイジェスト再生終了後、ダイジェスト再生した番組情報をハードディスクから削除することで、ダイジェスト再生という形であるにせよ、未視聴番組を視聴した後、削除することが可能となる。
【００１４】
この場合、本発明の記録再生装置では、保存設定キーを備えており、前記ダイジェスト再生制御手段は、ダイジェスト再生中に前記保存設定キーが操作された場合には、その操作時のダイジェスト再生番組をダイジェスト再生後に削除することなくそのまま保存するように構成してもよい。
【００１５】
すなわち、ダイジェスト再生の内容を見て、後でもう一度落ち着いて視聴したいと判断した場合には、ユーザは、その時点で保存設定キーを操作すればよい。これにより、ダイジェスト再生が終了しても、保存設定キーが操作された番組はそのまま記録媒体に保存されているので、ユーザは、後日、時間的に余裕のあるときに、その番組を視聴することが可能となる。
【発明の効果】
【００１６】
本発明の記録再生装置は上記のように構成したので、例えば毎朝家を出る時刻を再生オフ時刻として設定しておけば、ユーザは、朝起きる時間に関係なく、ダイジェスト再生キーを押すだけの簡単な操作のみで、ダイジェスト再生キーが押されたオン時刻と予め設定されているオフ時刻とから再生時間を算出し、その算出した再生時間内に記録媒体に記録されている未視聴の番組情報のダイジェスト再生が終了するように番組情報を編集して、ダイジェスト再生を実施することになる。これにより、ユーザは、家を出る直前の忙しい時間帯であっても、ダイジェスト再生によって未視聴の番組の内容を簡単に視聴することが可能となり、未視聴番組の確認というダイジェスト再生の当初の目的を確実に達成することができる。
【００１７】
また、本発明の記録再生装置によれば、ダイジェスト再生終了後、ダイジェスト再生した番組情報を記録媒体から削除することで、ダイジェスト再生という形であるにせよ、未視聴番組を視聴した後、削除することができる。これにより、視聴済みの番組情報を手動操作で削除するといった手間を省くことができ、かつ、未視聴の番組情報が増えることによって記録媒体の容量を圧迫することも防止することができる。
【００１８】
さらに、本発明の記録再生装置によれば、ダイジェスト再生中に保存設定キーを操作することで、その操作時のダイジェスト再生番組をダイジェスト再生後に削除することなくそのまま保存するように構成したので、ユーザは、後日、時間的に余裕のあるときに、その番組をゆっくりと視聴することが可能となる。
【発明を実施するための最良の形態】
【００１９】
以下、本発明の実施の形態について、図面を参照して説明する。
【００２０】
図１は、本発明の一実施形態である記録再生装置の機能ブロック図であり、ここではハードディスク内蔵型ＤＶＤレコーダを例示している。
【００２１】
本実施形態の記録再生装置１は、アンテナ１６により受信されたアナログ放送信号やデジタル放送信号等のテレビ放送から選択されたチャンネルの番組放送を受信するチューナ２と、受信した番組の映像データの信号を処理する信号処理回路３と、信号処理後の映像データをＤＶＤ（Ｄｉｇｉｔａｌ Ｖｅｒｓａｔｉｌｅ Ｄｉｓｋ）等の光ディスクに記録再生するＤＶＤ部５と、信号処理後の映像データをハードディスク（ＨＤ）に記録再生するＨＤＤ（Ｈａｒｄ Ｄｉｓｋ Ｄｒｉｖｅ）部６と、これらＤＶＤ部５及びＨＤＤ部６の記録再生を制御するストレージ制御部７と、文字情報信号を映像信号に重畳して、文字情報をモニタ装置３０の画面に表示するＯＳＤ（Ｏｎ−Ｓｃｒｅｅｎ Ｃｈａｒａｃｔｅｒ Ｄｉｓｐｌａｙ）回路８と、音声信号を増幅してスピーカ４０を駆動する音声出力回路９と、本装置のシステム全体を制御するマイコン１２と、各種データを記憶するメモリ（ＥＥＰＲＯＭやフラッシュメモリ等）１３と、現在時刻を計時する時計機能を有するクロック回路１４と、リモコン２０から送信された赤外線信号のリモコン信号を受信して、所定の電気信号に変換するリモコン受信部１５とで構成されている。
【００２２】
リモコン２０には、後述するダイジェスト再生キー２０ａや保存設定キー２０ｂが設けられている。また、メモリ１３には、ユーザが設定した再生オフ時刻（電源オフ時刻）が記憶されるようになっている。
【００２３】
上記構成の記録再生装置１において、マイコン１２は、ダイジェスト再生キー２０ａがオンされたとき、オンされた時刻とメモリ１３に記憶されている再生オフ時刻とに基づいて再生時間を算出し、その算出した再生時間内に、ＨＤＤ部６のハードディスクに記録されている番組情報のうち未視聴の番組情報のダイジェスト再生が終了するように、番組情報を編集して、ダイジェスト再生を実施するようになっている。
【００２４】
以下、マイコン１２によるダイジェスト再生処理について、順を追って説明する。
【００２５】
＜オフ時刻の設定処理＞
本実施形態のダイジェスト再生処理を実現するためには、ダイジェスト再生処理を終了する時刻、すなわち再生オフ時刻（電源オフ時刻）をユーザが予め設定しておく必要がある。この設定は、例えばメニュー画面から、再生オフ時刻の設定項目を選択して、図２に示す再生オフ時刻設定画面６０をモニタ装置３０に表示し、この画面から設定するようになっている。ここでは、ユーザが毎朝出勤のために家を出る時刻である例えば８時に設定し、リモコン２０の図示しない決定キーを操作したとする。このようにして設定された再生オフ時刻は、メモリ１３内のダイジェスト再生に関連する所定の領域に記憶される。
【００２６】
＜ダイジェスト再生優先設定処理＞
本実施形態では、ダイジェスト再生に際し、ハードディスク内のどの番組情報（コンテンツデータ）を優先的にダイジェスト再生の対象とするかを事前に設定可能となっている。この設定は、例えばメニュー画面から、ダイジェスト再生優先設定の項目を選択して、図３に示すダイジェスト再生優先設定画面７０をモニタ装置３０に表示し、この画面から設定するようになっている。この例では、優先設定として、「ジャンル優先」と「タイトル優先」の２つが用意されており、「ジャンル優先」の項目はさらに、「ドラマ」、「映画」、「バラエティー」、「スポーツ」などの項目に分かれている。
【００２７】
ここで、ユーザは、表示されている項目の中から所望する項目を選択し（例えば、画面上のカーソルを所望する項目に移動させて）、リモコン２０の図示しない決定キーを操作する。これにより、決定された項目に該当する番組が、ダイジェスト再生の優先番組に設定される。この設定情報は、メモリ１３内のダイジェスト再生に関連する所定の領域に記憶される。
【００２８】
例えば、「ジャンル優先」の中の「スポーツ」が選択された場合には、ハードディスクに記録されている未視聴の番組の中からスポーツに関する番組を録画日時の古い順に選択してダイジェスト再生を優先的に実施することになる。また、「タイトル優先」が選択された場合には、前回電源オフ時に視聴していた番組（放送されていた番組、または記録媒体に記録されていた番組の両方を含む）のタイトルと同じタイトルの番組が、ハードディスクに未視聴番組として記録されている場合には、その同タイトルの番組のダイジェスト再生を優先的に実施することになる。この場合、同タイトルの未視聴番組が複数記録されている場合には、録画日時（記録日時）の古いものからダイジェスト再生を実施することになる。
【００２９】
なお、このようなダイジェスト再生優先設定を行わなかった場合のダイジェスト再生は、未視聴の番組の録画日時順に行うことになる。
【００３０】
＜削除設定処理＞
本実施形態では、ダイジェスト再生終了後、ダイジェスト再生した番組情報をハードディスクから自動的に削除するように事前に設定可能となっている。この設定は、例えばメニュー画面から、削除設定項目を選択して、図４に示す再生オフ削除設定画面８０をモニタ装置３０に表示し、この画面から設定するようになっている。この例では、削除設定の「ＯＮ」と「ＯＦＦ」とが表示されているので、削除設定を行いたい場合には、「ＯＮ」を選択し（例えば、画面上のカーソルを「ＯＮ」に移動させて）、リモコン２０の図示しない決定キーを操作する。これにより、削除設定がオンとなる。一方、この削除設定を解除したい場合には、図４に示す画面上でカーソルを「ＯＦＦ」に移動させ、リモコン２０の決定キーを操作すればよい。この削除設定画面８０で設定された「ＯＮ」または「ＯＦＦ」の情報は、メモリ１３内のダイジェスト再生に関連する所定の領域に記憶される。
【００３１】
＜ハードディスクの管理構成＞
図５は、ハードディスクに記録されている番組情報を管理する管理情報の構成例を示している。
【００３２】
本実施形態では、各番組情報は、連続番号である管理番号の項目、ハードディスクに記録後（すなわち、録画予約などで録画後）に一度視聴したか否かを示す「未／既」の項目、番組情報のタイトル名を示す項目、番組情報のジャンル（ドラマ、映画、バラエティー、スポーツ）を示す項目、記録日時（録画日時）を示す項目、の各項目によって管理されている。このうち、タイトル名の項目とジャンルの項目は、例えば放送信号から取得したＥＰＧデータ（電子番組表）を利用して管理することができる。「未／既」の項目は、一度視聴した場合には「既」、一度も視聴していない場合には「未」がマイコン１２によって書き込まれる。記録日時の項目は、クロック回路１４によって計測した実際の記録日時（録画日時）が書き込まれる。
【００３３】
＜ダイジェスト再生処理＞
上記の各設定を行った上で、次に、ユーザが、リモコン２０のダイジェスト再生キー２０ａを操作したときのダイジェスト再生処理について、図６に示すフローチャートを参照して説明する。
【００３４】
ユーザが、ダイジェスト再生キー２０ａを操作する（押す）と、マイコン１２は、メモリ１３に再生オフ時刻が設定（記憶）されているか否かを確認する（ステップＳ１）。その結果、再生オフ時刻が設定されていなければ（ステップＳ１でＮｏと判断）、上記の＜オフ時刻の設定処理＞に移行して（ステップＳ１５）、処理を終了する。
【００３５】
一方、再生オフ時刻が設定されている場合（ステップＳ１でＹｅｓと判断された場合）には、次に、ダイジェスト再生の優先設定がされているか否かを確認する（ステップＳ２）。
【００３６】
その結果、優先設定がされていない場合（ステップＳ２でＮｏと判断された場合）には、デフォルト設定である録画日時の古い順に再生するモードが選択される（ステップＳ３）。例えば、図５に示すハードディスクの管理情報の例で言えば、「未／既」の項目が「未」となっている管理番号「０２」、「０３」、「０４」、・・・、「０ｎ」の番組情報がこの順（録画日時の古い順）にダイジェスト再生されることになる。
【００３７】
一方、優先設定されている場合には、その設定内容を確認して（ステップＳ４）、その後の処理を分岐する。すなわち、優先設定の内容が「ジャンル優先」であり、その中の例えば「スポーツ」が設定されていた場合には、ハードディスクに記録されている番組情報の中の未視聴の番組の中から、まずスポーツに関する番組を古い順に再生し、その後で残った未視聴の番組を録画日時の古い順に再生するモードが選択される（ステップＳ５）。例えば、図５に示すハードディスクの管理情報の例で言えば、管理番号「０３」と「０４」の２つの番組がこの順にまずダイジェスト再生され、その後、管理番号「０２」、・・・、「０ｎ」の順でダイジェスト再生されることになる。
【００３８】
一方、タイトル優先が設定されていた場合には、前回電源オフ時に視聴していた番組（放送されていた番組、またはハードディスクに記録されていた番組の両方を含む）のタイトルと同じタイトルの番組が未視聴番組としてハードディスクに記録されているかを確認し、記録されている場合には、まず最初に、その同タイトルの番組のダイジェスト再生を実施するモードが選択される（ステップＳ６）。図５に示すハードディスクの管理情報の例で言うと、例えば前回電源オフ時にハードディスクに記録されているタイトル「１１１」の番組１を視聴していた場合、このタイトルと同じタイトルで未視聴の番組は、番組ｎであるから、ダイジェスト再生の番組としてこの番組ｎ（管理番号「０ｎ」）を最初にダイジェスト再生し、その後、管理番号「０２」、「０３」、「０４」、・・・の順に録画日時（記録日時）の古いものから再生されることになる。なお、前回電源オフ時に視聴していた番組の内容は、メモリ１３のダイジェスト再生に関連する所定の領域に記憶するようにしておけばよい。
【００３９】
この後、マイコン１２は、ダイジェスト再生キー２０ａが押された時刻と、メモリ１３に記憶されている再生オフ時刻とに基づいて再生時間を算出し、その算出した再生時間内に、ハードディスクに記録されている未視聴の番組情報の中から、前記ステップＳ３、ステップＳ５またはステップＳ６で選択されたモードに従って番組情報を選択し、その選択した全ての番組情報のダイジェスト再生が終了するように、これら番組情報を編集して、ダイジェスト再生を実施する（ステップＳ７）。
【００４０】
例えば、ダイジェスト再生キー２０ａが朝の７時３０分に押された場合、マイコン１２は、ダイジェスト再生時間として３０分（７時３０分から８時まで）を算出し、この３０分で、選択した全ての番組情報のダイジェスト再生を終了するように、各番組情報を編集する。なお、この編集処理の具体例については後述する。
【００４１】
この後、マイコン１２は、上記の＜削除設定処理＞によって削除設定がＯＮに設定されているか否かを確認する（ステップＳ８）。その結果、削除設定がＯＦＦに設定されている場合（ステップＳ８でＮｏと判断された場合）には、ダイジェスト再生を終了した後、本装置１及びモニタ装置３０の電源をオフして（ステップＳ９）、処理を終了する。
【００４２】
一方、削除設定がＯＮに設定されている場合（ステップＳ８でＹｅｓと判断された場合）、マイコン１２は、ダイジェスト再生中に保存設定キー２０ｂが押されたか否かを、ダイジェスト再生が終了するまで常に監視する（ステップＳ１０，Ｓ１１，Ｓ１２）。そして、ダイジェスト再生中に保存設定キー２０ｂが押された場合（ステップＳ１１でＹｅｓと判断された場合）には、その操作時のダイジェスト再生番組を、ダイジェスト再生後に削除することなくそのまま保存する番組として設定する（ステップＳ１３）。例えば、削除されないように「お気に入り」として登録する。マイコン１２では、このような処理をダイジェスト再生の終了まで行うと（ステップＳ１２でＹｅｓと判断されると）、この後、ステップＳ１３で保存設定された番組情報を除くその他の全ての番組情報（ただし、ダイジェスト再生を行った番組情報）をハードディスクから削除し、本装置１及びモニタ装置３０の電源をオフして（ステップＳ１４）、処理を終了する。
【００４３】
このような処理により、ユーザは、朝起きてから家を出るまでの間に、ハードディスクに記録したままで未視聴であった全ての番組をダイジェスト再生で視聴することが可能となり、未視聴番組の確認という本発明のダイジェスト再生の当初の目的を達成することができる。
【００４４】
＜番組情報の編集処理＞
最後に、上記ステップＳ７でのダイジェスト再生のための番組情報の編集処理について、図７及び図８に示す番組ごとの編集過程を模式的に示した図を参照して説明する。
【００４５】
例えば、１時間番組のドラマ番組の場合を例に挙げると、図７（ａ）に示すようにコンテンツデータを分割することができる。この例では、５つの本編データと、５つのＣＭデータに分割されている。このように、ドラマ番組では、番組再生の合間にＣＭ再生が見られるため、まず、このＣＭ部分をカットする（図７（ｂ）参照）。これにより、１時間番組は自動的に５０分程度に短縮される。次に、この残された５つの本編データのうち、最初と最後のデータはそれぞれオープニングとエンディングであることが多く、さらに、前回あらすじや次回予告等も含まれる場合も多いため、ダイジェスト再生に加えられる優先順位としては低くなる。従って、この部分をカットする（図７（ｃ）参照）。さらに、残り３つの本編データにおいても、ＣＭ後の部分においては、ＣＭ前の再生部分と重複する場合も多く、その部分もダイジェスト再生に加えられる優先順位としては低い。これらの条件を踏まえ、分割された番組コンテンツデータより、設定された再生オフ時刻に基づき、逆算された時間内でダイジェスト再生を実施する。
【００４６】
一方、スポーツ番組の場合も、図８（ａ）に示すようにコンテンツデータを分割することができるが、スポーツ番組の場合は、その時々によってＣＭの入り方が変わってくるため、本編データももう少し増えてくる可能性がある。この場合、音量データに着目して編集することが考えられる。すなわち、ある一定以上の音量のある箇所をピックアップし、その箇所が多く含まれる本編データが最も盛り上がったシーンだと判断して、その本編データから優先的にダイジェスト再生を実施する。図８に示す例では、同図（ｂ）に示すように、本編データＤ１には、一定以上の音量のある箇所（音箇所）が２箇所あり、本編データＤ２には５箇所あり、本編データＤ３には７箇所あり、本編データＤ４には６箇所あり、本編データＤ５には１箇所ある場合、同図（ｃ）に示すように、例えば音箇所が５以上ある本編データＤ２，Ｄ３，Ｄ４を優先的にダイジェスト再生する。すなわち、音箇所の多い（集中している）シーンを優先的に再生するため、上記従来技術に挙げた手法（盛り上がっている部分のみを集めて再生する手法）と異なり、盛り上がっているシーンの前後の展開も容易に把握することが可能となる。
【００４７】
上記した方法でダイジェスト再生されたものは、あくまで内容把握のための簡易的な手段であり、必ずしも期待に沿ったダイジェスト再生にはならない可能性もあるが、このダイジェスト再生を視聴した上で、後日じっくりと内容を把握したい場合には、ダイジェスト再生中において保存設定ボタン２０ｂを押せばよい。これにより、ダイジェスト再生後に番組情報が削除されることもなく、改めて検索する等の手間も省けるため、録り溜めがちになっている番組を効率よく消費していく手助けにもなることが期待される。
【００４８】
なお、上記実施形態では、記録再生装置としてハードディスク内蔵型ＤＶＤレコーダを例示しているが、単なるハードディスクレコーダであってもよいことは当然である。
【図面の簡単な説明】
【００４９】
【図１】本発明の一実施形態である記録再生装置の機能ブロック図である。
【図２】再生オフ時刻設定画面例を示す説明図である。
【図３】ダイジェスト再生優先設定画面例を示す説明図である。
【図４】再生オフ削除設定画面例を示す説明図である。
【図５】ハードディスクに記録されている番組情報を管理する管理情報の構成例を示す説明図である。
【図６】ダイジェスト再生キーを操作したときのダイジェスト再生処理を説明するためのフローチャートである。
【図７】ダイジェスト再生のための番組情報の編集処理の一例を示す説明図である。
【図８】ダイジェスト再生のための番組情報の編集処理の一例を示す説明図である。
【符号の説明】
【００５０】
１  記録装置
２  チューナ
３  信号処理回路
５  ＤＶＤ部
６  ＨＤＤ部
７  ストレージ制御部
３  ＯＳＤ回路
９  音声出力回路
１２  マイコン
１３  メモリ
１４  クロック回路
１５  リモコン受信部
２０  リモコン
２０ａ  ダイジェスト再生キー
２０ｂ  保存設定キー
３０  モニタ装置
４０  スピーカ
【図１】
2008113343.tif 000003
【図２】
2008113343.tif 000004
【図３】
2008113343.tif 000005
【図４】
2008113343.tif 000006
【図５】
2008113343.tif 000007
【図６】
2008113343.tif 000008
【図７】
2008113343.tif 000009
【図８】
2008113343.tif 000010